(57)【要約】【課題】従来のような煩わらしい乾電池の交換を不要とし、エコロジーな調律器および電子式メトロノームを提供する。【解決手段】調律器または電子メトロノームを駆動させる為の電源に太陽電池パネル１を用いる。太陽電池パネル１より発電された電力は、充電制御回路２の制御のもと、電源回路４に供給される。また同時に二次電池３に適した充電を行なうと共に、二次電池３の充電容量を監視してその充電容量が限界値に達したときは、充電を中止させるように制御する。二次電池２からも常に電源回路４へ電力を供給しており、仮に太陽電池パネル１で発生された電力が、所定値以下になり、電力が不足した場合でも、予備電源として備えられた二次電池３より電源回路４へ電力が供給される。【選択図】    図１
2004361512.tif 000002
【特許請求の範囲】
【請求項１】
電源として太陽電池を備えることを特徴とする楽器用電子機器。
【請求項２】
前記太陽電池で発電された電力が充電される二次電池を予備電源として備えたことを特徴とする請求項１に記載の楽器用電子機器。
【請求項３】
太陽電池の発電量が所定値以下に低下した場合、電力供給を前記二次電池の電力に切り替えられること特徴とする請求項１に記載の楽器用電子機器。
【請求項４】
前記二次電池の充電容量が該二次電池の限界値に達したときは、該二次電池の充電を中断することを特徴とする請求項１から３のうちいずれかに記載の楽器用電子機器。
【請求項５】
前記楽器用電子機器は、筐体の表示器やスイッチ類が配置される上面部、または側面部、または背面部などに太陽電池を備えることを特徴とする請求項１から４のうちいずれかに記載の楽器用電子機器。
【請求項６】
さらに、着脱可能な太陽電池が設けられていることを特徴とする請求項１から５のうちいずれかに記載の楽器用電子機器。
【請求項７】
さらに、本体内部に収納可能な太陽電池が備えられていることを特徴とする請求項１から５のうちいずれかに記載の楽器用電子機器。
【請求項８】
前記楽器用電子機器は、調律器又は電子式メトロノームのいずれかであることを特徴とする請求項１から７のうちいずれかに記載の楽器用電子機器。
【発明の詳細な説明】
【０００１】
【発明の属する技術分野】
本発明は、目的とする音の基準との偏差を表示する調律器および、リズムトレーニングを目的とする電子式メトロノーム等の、楽器用電子機器に関するものである。
【０００２】
【従来の技術】
楽器用電子機器である調律器においては、電源は、乾電池またはＡＣアダプターより供給されており、楽器から入力された音と、基準音とのずれを検出してメータやＬＥＤもしくはＬＣＤパネル等の画面に表示するものが知られている（例えば、特許文献１参照。）。
【０００３】
また、楽器用電子機器である電子式メトロノームにおいては、電源は、乾電池またはＡＣアダプターより供給されており、任意に設定したテンポ値に対応した速度をＬＥＤの点灯または音声で使用者に知覚させるものが知られている（例えば、特許文献２参照。）。
【０００４】
このような従来の調律器および電子式メトロノームは、電源には、市販されている乾電池またはＡＣアダプターが用いられ、各部の電子回路に電力を供給している。
【０００５】
【特許文献１】
特開平６−２５０６４５（第１−４頁、第１図）
【特許文献２】
特開平９−５４１７５（第１−４頁、第８図、第９図）
【０００６】
【発明が解決しようとする課題】
しかし、これまで市場に提供された調律器および電子式メトロノームは、負荷電流の多い連続した使用状態であると乾電池の消耗が激しく、頻繁な電池交換が必要となっていた。
【０００７】
また、電源スイッチを切り忘れて長時間放置した場合は、待機電力により、著しく乾電池を消耗させてしまい、電池交換の頻度を増やす原因の一つとして考えられており、その結果、乾電池の廃棄による地球環境に対しての課題があった。
【０００８】
そこで、前記の課題を解決するため、電源を乾電池ではなく、ＡＣアダプターを用いて商用電源から電源を取り出す方法があるが、この場合、持ち運びが不便であり、商用電源用コンセントを別途に必要とすることから使い勝手が悪いという欠点があった。
【０００９】
本発明は、上記の問題を考慮してなされたものであり、乾電池の電池交換を不要としたことで極めて経済的であると共に、廃棄電池による環境問題も解決したエコロジーな調律器および電子式メトロノームを提供することを目的とする。
【００１０】
【課題を解決するための手段】
本発明の調律器および電子式メトロノームは、電源を必要とする調律器および電子式メトロノームであって、前記電源を市販の乾電池またはＡＣアダプターの変わりに、太陽電池を備えることを特徴とする。
【００１１】
また、本発明の調律器および電子式メトロノームは、前記太陽電池で発電された電力が充電される二次電池を予備電源として備えたことを特徴とする。
【００１２】
また、本発明の調律器および電子式メトロノームは、太陽電池の発電量が所定値以下の場合、電力供給経路を前記二次電池の電力に切り替えられること特徴とする。
【００１３】
また、本発明の調律器および電子式メトロノームは、前記二次電池の充電容量が該二次電池の限界値に達したときは、前記二次電池の充電を中断することを特徴とする。
【００１４】
また、本発明の調律器および電子式メトロノームは、筐体の表示器やスイッチ類が配置される上面部、または側面部、または背面部などに太陽電池を備えることを特徴とする。
【００１５】
また、本発明の調律器および電子式メトロノームは、さらに、着脱可能な太陽電池が設けられていることを特徴とする。
【００１６】
また、本発明の調律器および電子式メトロノームは、さらに、本体内部に収納可能な太陽電池が備えられていることを特徴とする。
【００１７】
本発明によれば、調律器または電子メトロノームを駆動させる為の電源に太陽電池を用いることで、従来のような煩わらしい乾電池の交換を不要とし、太陽光または人工照明灯がある限り何回でも繰り返して使用できることから極めて経済的であると共に、廃棄電池による環境問題もなくなりエコロジーな調律器および電子式メトロノームを提供するができる。
【００１８】
【発明の実施の形態】
以下、図に基づき、本発明における太陽電池付き調律器および電子式メトロノームの好適な実施の形態について説明する。なお、実質的に同一または対応する部材には同一符号を用いて説明する。
【００１９】
図１に示すのは、本発明における太陽電池付き調律器および電子式メトロノームの電子回路の構成例を示す回路ブロック図である。
【００２０】
太陽電池パネル１は、図１に示すように調律器または電子式メトロノームの筐体６に取り付けられていて、この太陽電池パネル１は、太陽光または、人工照明灯の照射を受けて発電して電力に変換する。本発明に用いる太陽電池パネル１は、結晶系シリコン太陽電池、アモルファスシリコン太陽電池、ＣｄＳ／ＣｄＴｅ、ＣＩＳ系の化合物半導体太陽電池などを用いることができるが、屋外で使用時の太陽光と屋内で使用時の白熱電球に対しても電力変換効率が優れているＣｄＳ／ＣｄＴｅ化合物半導体太陽電池を用いることが好ましい。
【００２１】
太陽電池パネル１で発電された電力は、充電制御回路２の制御のもと、電源回路４へ供給される。また、同時に予備電源として備えられた二次電池３に電力が供給されて充電される。充電制御回路２は、充電電圧または充電電流等を制御して二次電池３に適した充電を行うと共に、二次電池３の充電容量を監視してその充電容量が限界値に達したときは、充電を中止させるように制御する。その限界値に達していないときは、充電制御回路２は二次電池３の充電を継続して行う。二次電池２からも常に電源回路４へ電力を供給しており、仮に太陽電池パネル１で発電された電力が、所定値以下になり、電力が不足した場合でも、予備電源として備えられた二次電池３より電源回路４へ電力が供給されるので、調律器および電子式メトロノームの各部へ安定した電力供給を可能としている。本発明に用いる二次電池２は、ニッカド電池、リチウムイオン電池、ニッケル水素電池などのほか、電気二重層コンデンサ等の蓄電部品を用いてもよい。
【００２２】
電源回路４では、太陽電池１から供給される電力と、二次電池３より供給される電力を所定の電圧に調整し、図１で示す調律器または電子式メトロノームの電子回路５の各部電子回路ブロック（動作説明については後述）へ電力を供給する。電源回路４には、三端子レギュレータや定電圧ダイオードなどが用いられることが一般的である。
【００２３】
これより、図１で示す調律器または電子式メトロノームの電子回路５が、調律器である場合の動作説明を図２より説明する。図２の５（ａ）は、調律器の電子回路ブロック図を示す。
【００２４】
楽器より発せられた音または信号は、調律器の入力回路７に入力され、電気信号に変換される。入力回路７は、マイクロホン、モノラルジャックまたはステレオジャックなどで構成される。入力回路７に入力される信号レベルは、楽器の種類にもよるが１０ｍＶｐ−ｐから３０ｍＶｐ−ｐと、微弱信号である為、増幅回路８によって、１０００倍以上に増幅される。増幅回路８は、一般的にオペアンプの非反転増幅回路または反転増幅回路が用いられ、これらの回路は公知のものである。増幅回路８によって１０００倍以上に増幅された信号は、波形成形回路９に入力され、矩形波に波形成形される。波形成形回路９は、一般的に公知のオペアンプのコンパレータ回路で構成される。波形成形回路９で矩形波に波形成形された信号は、マイクロコンピュータ１０に入力される。マイクロコンピュータ１０では、この入力された矩形波信号を、目的とする周波数に対する偏差を演算処理し、その演算結果を表示器１１で表示する。表示器１１は、一般的にコイル式メーターやＬＣＤ、ＬＥＤなどが用いられている。
【００２５】
次に図１で示す調律器または電子式メトロノームの電子回路５の部分が、電子式メトロノームである場合の動作説明を図３より説明する。図３の５（ｂ）は、電子式メトロノームの電子回路ブロック図を示す。
【００２６】
設定入力部１２は、ロータリースイッチ、プッシュスイッチ等が用いられ、設定入力部１２より、使用者の所望のテンポ、基準音、またはリズムに、設定操作を行う部分である。設定入力部１２に設定操作が行なわれると、設定入力部１２の設定値をマイクロコンピュータ１３が感知し、設定値に対応した矩形波信号を増幅回路１４へ出力する。増幅回路１４には、トランジスタやパワーアンプ等を用いた公知の増幅回路が用いられ、マイクロコンピュータ１３からの矩形波信号を忠実に増幅し、マイクロコンピュータ１３からの所望の設定値に対応した信号をスピーカー１５より発音させる。また、マイクロコンピュータ１３では、同時に設定入力部１２の設定値に対応した同期信号を表示器１６へ送り、表示器１６に表示させる。表示器１６は、ＬＥＤまたはＬＣＤパネルなどで構成させることが一般的で、使用者に所望のテンポ、リズムなどを、視覚させる役割をしている。
【００２７】
次に本発明における一例の実施の形態について図４より説明する。図４（ａ）は、本発明における一例の調律器の斜視図を示している。図４（ｂ）は、本発明における一例の電子式メトロノームの斜視図を示している。
【００２８】
図４（ａ）の１は、図１で示す太陽電池パネル１を示している。図４（ａ）の一例では、筐体の上面部に表示器（ＬＣＤパネル１７、ＬＥＤ１８）と、キー操作を行なうスイッチ１９、楽器の音を感知するマイクロホン２０（筐体内部に配置）を備え、側面部には楽器の電気信号を入力するジャック２１を備えた調律器を示す。太陽電池パネル１は、図４（ａ）のように太陽光および人工照明灯の照射を受けやすい筐体外部の上面部に取り付ける。このように光の照射を受けやすい、表示器やスイッチ類が配置されている上面部に太陽電池パネル１を配置した方が好ましい。また、変形例としては、光を通過させる透過型ＬＣＤパネルを採用し、ＬＣＤパネルの背面部に太陽電池パネル１を設ける構成としてもよい。
【００２９】
図４（ｂ）の１は、図１で示す太陽電池パネル１を示している。図４（ｂ）の一例は、筐体の上面部に所望の設定値やリズムに同期した表示を行なうＬＣＤ２２と、キー操作を行なうスイッチ２３、所望のリズム等を発音するスピーカー２４が備えられた電子式メトロノームを示している。太陽電池パネル１は、図４（ａ）の斜視図ように太陽光および人工照明灯の照射を受けやすい筐体外部の上面部に配置した方が好ましい。一般的に電子式メトロノームの場合、調律器よりも電力消費量が多い傾向にあるので、太陽電池パネル１は、この一例のように二箇所に配置するなどして、太陽電池パネルの面積を大きくし、なるべく大きな電力を発電できるようにした方がよい。また、この一例の場合も変形例として、透過型ＬＣＤなどの光を通過させるＬＣＤの背面部に太陽電池パネルを設置してもよい。
【００３０】
図５は、本発明における太陽電池付き調律器および電子式メトロノームの第２の実施の形態の斜視図を示している。この一例では、調律器２５として説明する。第２の実施の形態の場合、太陽電池パネル１は、ケーシング２８に組込まれる形態で存在し、調律器２５への電力供給は、専用のコネクター雄型２７により、調律器２５の本体に備えられた接続コネクターメス型２６に接続して行なわれ、調律器２５と太陽電池パネル１のコネクターの端子同士が接続される形となる。この例の場合、接続方法として、コネクターによる接続方法を示しているが、電気的に接続可能であればどのような接続方法でも構わない。この一例の場合、調律器２５を光の照射の少ない暗い場所などで長時間使用したい場合に、事前に太陽電池パネル１を用いて、調律器２５の本体内部に備えられた二次電池（図示省略）に十分な電力を蓄電させることが出来る。また、調律器２５の本体に太陽電池パネル１を設置した場合よりも、太陽電池パネルサイズをはるかに大きく出来ることから、発電する電力量が増加され、二次電池への充電が容易となる。
【００３１】
図６は、本発明における太陽電池式調律器および電子式メトロノームの第３の実施の形態を示している。この一例では、表示器にＬＥＤとＬＣＤ、スピーカー（筐体内部に配置）を備えた電子式メトロノームであり、第３の実施形態の特徴である筐体内部に収納できる太陽電池パネル１を備えている。この一例の場合、太陽電池パネル１を、筐体側面部よりスライドさせて露出させる構造である。収納したい場合は、筐体側へ押しこむことで、太陽電池パネル１を筐体内部へ収納できる。図６では図示省略してあるが、太陽電池パネル１を露出させるスイッチを設け、ワンタッチで露出させる構造としてもよい。この一例の場合、光の照射を受けやすい調律器または電子式メトロノームの上面部に多数のスイッチや大きなサイズのＬＣＤなどの表示器が設けられて十分な面積の太陽電池パネルを設置できない場合に、本第３の実施例のような構造にすることで、十分な面積の太陽電池パネルを設けることができる。つまり、十分な発電量を得ることが出来るのである。
【発明の効果】
以上、説明した様にこの発明によれば、調律器及び電子式メトロノームの電源に太陽電池を用いることで、従来の調律器や電子式メトロノームのような煩わしい乾電池の交換を不要とし、太陽光または人工照明灯がある限り何回でも繰り返して使用できることから極めて経済的であると共に、電池廃棄による環境問題も解決したエコロジーな調律器及び電子式メトロノームを提供することを可能とした。
【図面の簡単な説明】
【図１】本発明の電子回路の構成例を示す回路ブロック図である。
【図２】本発明の調律器の動作説明に関する回路ブロック図である。
【図３】本発明の電子式メトロノームの動作説明に関する回路ブロック図である。
【図４】本発明の一例の実施の形態における斜視図である。
【図５】本発明の第２の実施の形態における調律器および電子式メトロノームの構造を示す一例の斜視図である。
【図６】本発明の第３の実施の形態における調律器および電子式メトロノームの構造を示す一例の斜視図である。
【符号の説明】
１    太陽電池パネル
２    充電制御回路
３    二次電池
４    電源回路
５    調律器または電子式メトロノームの電子回路
５（ａ）調律器の電子回路ブロック図
５（ｂ）電子式メトロノームの電子回路ブロック図
６    調律器または電子式メトロノームの筐体
７    入力回路
８    増幅回路
９    波形成形回路
１０  マイクロコンピュータ
１１  表示器
１２  設定入力部
１３  マイクロコンピュータ
１４  増幅回路
１５  スピーカー
１６  表示器
１７  ＬＣＤパネル
１８  ＬＥＤ
１９  スイッチ
２０  マイクロホン
２１  ジャック
２２  ＬＣＤパネル
２３  スイッチ
２４  スピーカー
２５  調律器
２６  コネクター雌型
２７  コネクター雄型
２８  ケーシング
【図１】
2004361512.tif 000003
【図２】
2004361512.tif 000004
【図３】
2004361512.tif 000005
【図４】
2004361512.tif 000006
【図５】
2004361512.tif 000007
【図６】
2004361512.tif 000008